(57)【要約】【課題】円板体をがたつきなく収納し、かつ円板体を容易に確認可能とする。【解決手段】矩形に形成された可撓性のパネル７の少なくとも二辺は縁部が相手方パネル３に連結された連結辺７ａ、７ｂであり、他の一辺７ｄは非連結の差し込み口１２となる収納部１３を備え、前記差し込み口１２から円板体１１を前記両パネル３，７間の収納部１３に差し込み収納する円板体１１の収納構造であって、前記差し込み口１２から前記可撓性のパネル７に切り込み１７を設け、前記切り込み１７の先端１８は、前記差し込み口１２と該差し込み口１２に対向する前記可撓性パネル７の連結された一方の連結辺７ａとの間の途中に位置すると共に、前記連結された他方の連結辺に対し前記円板体１１の直径より小さな間隔で位置し、少なくとも前記一方の連結辺７ａ側に位置する前記切り込み１７の辺が該連結辺７ａに対して差し込み口１２側へ漸次接近するように傾斜形成した。【選択図】      図１
2004277001.tif 000002
【特許請求の範囲】
【請求項１】
矩形に形成された可撓性のパネルの少なくとも二辺は縁部が相手方パネルに連結された連結辺であり、他の一辺は非連結の差し込み口となる収納部を備え、前記差し込み口から円板体を前記両パネル間の収納部に差し込み収納する円板体の収納構造であって、
前記差し込み口から前記可撓性のパネルに切り込みを設け、
前記切り込みの先端は、前記差し込み口と該差し込み口に対向する前記可撓性パネルの連結された一方の連結辺との間の途中に位置すると共に、前記連結された他方の連結辺に対し前記円板体の直径より小さな間隔で位置し、
少なくとも前記一方の連結辺側に位置する前記切り込みの辺が該連結辺に対して前記差し込み口側へ漸次接近するように傾斜形成されたことを特徴とする円板体の収納構造。
【請求項２】
請求項１記載の円板体の収納構造であって、
前記相手方パネルは、前記差し込み口に沿った折り曲げのヒンジ部を介して結合されたカバー部を有し、
前記カバー部を前記ヒンジ部の折り曲げによって前記可撓性パネルに重ね合わせてカバーすることを特徴とする円板体の収納構造。
【請求項３】
請求項２記載の円板体の収納構造であって、
前記切り込みを有する可撓性パネルとカバー部を有する相手方パネルとを一枚の可撓性パネル材で展開状態に形成して、前記相手方パネルを挟んでその相手方パネルの一辺に前記可撓性のパネルの一方の辺を一体に結合すると共に、他方の辺に前記カバー部を前記ヒンジ部を介して一体に結合し、
前記相手方パネルと可撓性のパネルとの間で折り曲げ前記可撓性のパネルの前記切り込みを有する辺以外の辺の縁部を後付けで前記相手方パネルに接合させ、前記カバー部を前記ヒンジ部で折り曲げ可能としたことを特徴とする円板体の収納構造。
【発明の詳細な説明】
【０００１】
【発明の属する技術分野】
本発明は、例えばコンパクトディスクなどの円板体を収納する円板体の収納構造に関する。
【０００２】
【従来の技術】
音楽やパーソナルコンピュータのソフトなどを記録している各種コンパクトディスク（以下、「ＣＤ」と称する。）を宣伝広告のために配布する場合などには、コスト低減などの観点からＣＤを紙製収納ケースに収納した状態で郵送することがある。その紙製収納ケースとしては、例えば、図８に示すようなものがある。
【０００３】
図８に示すように、紙製収納ケース（以下、単に「収納ケース」と称する。）１０１は、円板体であるＣＤ１０３を収納するための袋状の収納部１０５を、その収納部１０５に一体に形成されて折り返し可能な蓋部１０７により開閉できるようにしたものである。この収納ケース１０１は、蓋部１０７による収納部１０５の閉じ状態で蓋部１０７の係止片１０９を収納部１０５のスリット１１１に差し込むことにより、蓋部１０７を収納部１０５に係止できるようになっている。
【０００４】
そして、収納ケース１０１では、収納部１０５にＣＤ１０３を収容し蓋部１０７により前記収納部１０５を閉じると、ＣＤ１０３の略全体を覆いそのＣＤ１０３をがたつかないように収納でき、この状態で郵送などされることとなる（例えば、特許文献１参照）。
【０００５】
また、収納ケースとしては、図９に示すようなものもある。図９に示すように、収納ケース１１３は、矩形板状の紙板を二つ折りにして相互に重ね合わせた収納パネル１１５及びカバーパネル１１７間に、一方の収納パネル１１５にＣＤ１０３の一部を差し込むためのスリット１１９を設けることによりＣＤ１０３を収納するための収納部を形成したものである。この収納ケース１１３では、ＣＤ１０３の一部をスリット１１９に差し込み、その他の部分を前記収納パネル１１５上に露出させた状態で収納パネル１１５及びカバーパネル１１７を重ね合わせることにより前記ＣＤ１０３を収納するようになっている（例えば、特許文献２参照）。
【０００６】
【特許文献１】
特開２０００−２７２６８７
【特許文献２】
特開２００１−６３７８９
【０００７】
【発明が解決しようとする課題】
しかしながら、図８に示す収納ケース１０１では、収納部１０５がＣＤ１０３の略全体を覆う袋状に形成されているため、郵送先などにおいて収納部１０５からＣＤ１０３を取り出さないと記録内容などについての表示をしている前記ＣＤ１０３の表示面を確認することができなかった。
【０００８】
一方、図９に示す収納ケース１１３では、収納パネル１１５，１１７を展開すればＣＤ１０３の表示面を一目で確認することができるものの、ＣＤ１０３の収納状態が一部をスリット１１９に差し込んでいるだけであるため、郵送時などにＣＤ１０３ががたつきやすく、そのがたつきによりＣＤ１０３の記録面が損傷するなどのおそれがあった。
【０００９】
そこで、本発明は、上記従来の課題を考慮してなされたものであり、円板体をがたつきなく収納でき、かつ容易に確認することができる円板体の収納構造の提供を目的とする。
【００１０】
【課題を解決するための手段】
上記目的を達成するために請求項１の発明は、矩形に形成された可撓性のパネルの少なくとも二辺は縁部が相手方パネルに連結された連結辺であり、他の一辺は非連結の差し込み口となる収納部を備え、前記差し込み口から円板体を前記両パネル間の収納部に差し込み収納する円板体の収納構造であって、前記差し込み口から前記可撓性のパネルに切り込みを設け、前記切り込みの先端は、前記差し込み口と該差し込み口に対向する前記可撓性パネルの連結された一方の連結辺との間の途中に位置すると共に、前記連結された他方の連結辺に対し前記円板体の直径より小さな間隔で位置し、少なくとも前記一方の連結辺側に位置する前記切り込みの辺が該連結辺に対して前記差し込み口側へ漸次接近するように傾斜形成されたことを特徴とする。
【００１１】
請求項２の発明は、請求項１記載の円板体の収納構造であって、前記相手方パネルは、前記差し込み口に沿った折り曲げのヒンジ部を介して結合されたカバー部を有し、前記カバー部を前記ヒンジ部の折り曲げによって前記可撓性パネルに重ね合わせてカバーすることを特徴とする。
【００１２】
請求項３の発明は、請求項２記載の円板体の収納構造であって、前記切り込みを有する可撓性パネルとカバー部を有する相手方パネルとを一枚の可撓性パネル材で展開状態に形成して、前記相手方パネルを挟んでその相手方パネルの一辺に前記可撓性のパネルの一方の辺を一体に結合すると共に、他方の辺に前記カバー部を前記ヒンジ部を介して一体に結合し、前記相手方パネルと可撓性のパネルとの間で折り曲げ前記可撓性のパネルの前記切り込みを有する辺以外の辺の縁部を後付けで前記相手方パネルに接合させ、前記カバー部を前記ヒンジ部で折り曲げ可能としたことを特徴とする。
【００１３】
【発明の効果】
請求項１記載の発明によれば、矩形に形成された可撓性のパネルの少なくとも二辺は縁部が相手方パネルに連結された連結辺であり、他の一辺は非連結の差し込み口となる収納部を備え、前記差し込み口から円板体を前記両パネル間の収納部に差し込み収納する円板体の収納構造であって、前記差し込み口から前記可撓性のパネルに切り込みを設け、前記切り込みの先端は、前記差し込み口と該差し込み口に対向する前記可撓性パネルの連結された一方の連結辺との間の途中に位置すると共に、前記連結された他方の連結辺に対し前記円板体の直径より小さな間隔で位置し、少なくとも前記一方の連結辺側に位置する前記切り込みの辺が該連結辺に対して前記差し込み口側へ漸次接近するように傾斜形成されている。
【００１４】
このため、円板体を前記差し込み口から切り込みの傾斜した辺内に差し込むと共に該切り込みの他方の返上に乗り上げるように前記収納部に収納させることができる。従って、円板体を収納した状態で前記支持部に対する前記円板体の動きを一対の連結辺と切り込みの先端との三方より規制することが可能となり、円板体のがたつきを防止しながら前記円板体を収納部に収納することができる。また、円板体の一部を、前記切り込みを介して露出させることができ、前記円板体の表面を容易に見ることができる。
【００１５】
請求項２記載の発明によれば、請求項１の発明の効果に加え、前記差し込み口に沿った折り曲げのヒンジ部を介して結合されたカバー部を有し、前記カバー部を前記ヒンジ部の折り曲げによって前記可撓性パネルに重ね合わせてカバーすることができる。
【００１６】
また、前記カバー部を前記ヒンジ部の折り曲げによって前記可撓性パネルに重ね合わせると、前記ヒンジ部が前記差し込み口に沿っているため、円板体の動きを前記三方の規制にヒンジ部による規制を加えて、四方から規制することができる。従って、円板体のよりがたつきをより防止しながら前記円板体を収納部に収納保持させることができる。
【００１７】
請求項３記載の発明によれば、請求項２の発明の効果に加え、前記切り込みを有する可撓性パネルとカバー部を有する相手方パネルとを一枚の可撓性パネル材で展開状態に形成して、前記相手方パネルと可撓性のパネルとの間で折り曲げ前記可撓性のパネルの前記切り込みを有する辺以外の辺の縁部を後付けで前記相手方パネルに接合させ、前記カバー部を前記ヒンジ部で折り曲げ可能とすることで、製造を容易に行うことができる。
【００１８】
【発明の実施の形態】
以下、本発明に係る円板体の収納構造を適用した紙製収納ケースの一実施形態について図面を参照して説明する。図１は本発明の一実施形態に係り、円板体の収納構造を適用した紙製収納ケースを示す正面図、図２は図１に示す紙製収納ケースの背面図、図３は図１に示す紙製収納ケースの平面図、図４は図１に示す紙製収納ケースの右側面図、図５は図１に示す紙製収納ケースの左側面図、図６は図１に示す紙製収納ケースのＡ−Ａ線矢視断面図、図７は図１に示す紙製収納ケースの展開図である。なお、本実施形態において底面図は、図３に示す平面図と同一となっている。
【００１９】
本実施形態の紙製収納ケース（収納ケース）１は、図１〜図７に示すように、相手方パネルである収納パネル３とカバー部であるカバーパネル５と、可撓性パネルとして重ね合わせパネル７とを有している。前記収納パネル３及びカバーパネル５は、矩形板状の紙板を二つ折りにして相互に重ね合わせられている。前記重ね合わせパネル７の少なくとも二辺、本実施形態では三辺は、前記収納パネル３に連結された連結辺７ａ，７ｂ，７ｃとなっている。前記重ね合わせパネル７の他の辺７ｄは、非連結の差し込み口１２となり、収納パネル３及び重ね合わせパネル７間に袋状の収納部１３が形成されている。
【００２０】
この収納ケース１は、収納部１３に差し込み口１２から円板体として、例えば、ＣＤ（コンパクトディスク）１１を差し込み収納するものである。
【００２１】
前記紙板としては、例えば、厚紙の表面に熱可塑性樹脂などの合成樹脂をコーティングし、可撓性を有したものが用いられている。ただし、紙板には合成樹脂をコーティングしない厚紙を用いることもできる。
【００２２】
前記収納パネル３及びカバーパネル５は、図１に示すように、折り目９を介して相互に一体に連結され、その折り目９を支点として相互に重ね合わせ・展開自在に回動可能となっている。従って、収納ケース１では前記折り目９がヒンジ部となる。これらの収納パネル３及びカバーパネル５は、略同一形状に形成されて回動方向と交差する方向（図１において上下方向）に若干長く、幅方向（図１において左右方向）の寸法がＣＤ１１の直径と略同一か僅かに長い形状となっている。
【００２３】
また、収納パネル３は、図５，図６，図７に示すように、長手方向の両端部に沿って一体に突設されて前記収納パネル３上に折り返され、重ね合わせパネル７の連結辺７ａ，７ｂを固着するための固着片１５ａ，１５ｂを有している。
【００２４】
前記重ね合わせパネル７は、図１及び図７に示すように、幅方向の寸法が前記収納パネル３及びカバーパネル５よりも若干小さい矩形板状に形成され、幅方向の一端部（図１では右側）が前記収納パネル３の幅方向の端部に一体に形成されている。なお、重ね合わせパネル７は、収納パネル３と別体に形成して結合する構成としてもよい。
【００２５】
そして、重ね合わせパネル７の連結片７ａ，７ｂは、図５及び図６に示すように、収納パネル３上に折り返されて固着片１５ａ，１５ｂに対応する長手方向の両端部がそれらの固着片１５ａ，１５ｂに固着されている。この固着は、例えば、粘着テープや接着剤による接着、紙板表面の合成樹脂の溶着などにより行われている。なお、重ね合わせパネル７は、連結片７ｃを連結しない構成にすることもできる。
【００２６】
前記重ね合わせパネル７には、前記差し込み口１２から切り込み１７が設けられている。この重ね合わせパネル７の切り込み１７は、図１及び図７に示すように、平面視形状が略直角三角形形状であり、前記重ね合わせパネル７を切り欠いて形成されている。すなわち、切り込み１７は、重ね合わせパネル７の一辺７ｄから連結片７ａ側にわたって設けられている。前記切り込み１７は、縁部１７ａ、傾斜縁部１７ｂによって形成されている。縁部１７ａは、ＣＤ１１の直径分離れた位置よりも若干一端部側の位置に配置されている。また、縁部１７ａは、前記重ね合わせパネル７の一辺に略直交して連結片７ａ側に伸びている。前記傾斜縁部１７ｂは、前記縁部１７ａの端部から前記重ね合わせパネル７の一辺７ｄ側に向かって傾斜し、かつ連結片７ｄに対して差し込み口１２側へ漸次接近するように傾斜している。
【００２７】
このため、切り込み１７は、その先端部１８が差し込み口１２と該差し込み口１２に対向する重ね合わせパネル７の連結された一方の連結片７ａとの間の途中に位置すると共に、連結された他方の連結片７ｂに対しＣＤ１１の直径より小さな間隔で位置している。
【００２８】
また、切り込み１７は傾斜縁部１７ｂがその中間部で内側に略半円状に膨出し、前記傾斜縁部１７ｂの中間部に切り込み１７内に突出する略半円形状の突出片１９が形成されている。この突出片１９は、後述する収納部１３によるＣＤ１１の支持状態でそのＣＤ１１の中心部を覆って支持するようになっている。
【００２９】
このような収納部１３では、前記ＣＤ１１が差し込み口１２から収納パネル３と重ね合わせパネル７との間に差し込まれると、そのＣＤ１１の一部、本実施形態では略半分を覆い支持する。すなわち、ＣＤ１１は、収納パネル３及び重ね合わせパネル７間で狭持され、かつ前記固着片１５ａの内側にＣＤ１１の外周縁が当接する。
【００３０】
この状態では、ＣＤ１１の略半分が切り込み１７を介して露出しており、縁部１７ａを越えて前記重ね合わせパネル７上に乗り上げる。
【００３１】
ＣＤ１１が乗り上げている重ね合わせパネル７の部分、すなわち、載置している載置部２３は、ＣＤ１１に対して収納パネル３側に撓んでおり、その復元力によりＣＤ１１を付勢する。このため、収納部１３では、載置部２３の付勢により重ね合わせパネル７の内面に押しつけ、より確実にＣＤ１１をＣＤ１１を支持する。
【００３２】
そして、収納部１３では、ＣＤ１１あ連結辺７ｃ側へ動こうとするとき、切り込み１７の先端部１８に係合して位置決められる。従って、ＣＤ１１の動きは、連結辺７ａ，７ｂ側と切り込み１７の先端部１８との三方より規制される。
【００３３】
前記のようにＣＤ１１を収納部１３に収納したら、カバーパネル５を折り目９で折り返し、重ね合わせパネル７上に相互に重ね合わせる。折り目９は差し込み口９に沿っているため、その折り目９の内側により、ＣＤ１１が差し込み口１２外へ動くのを規制することができる。すなわち、ＣＤ１１の動きは、前記連結片７ａ，７ｂ側及び切り込み１７の先端部１８の三方と折り目９とにより合わせて四方から規制され、ＣＤ１１を収納部１３に確実に支持させることができる。
【００３４】
この結果、収納ケース１では、ＣＤ１１を収納部１３に支持した状態でそのＣＤ１１の動きを略完全に規制することができ、そのＣＤ１１を、がたつきを防止しながら収納することができる。従って、ＣＤ１１を収納した収納ケース１の郵送時などにＣＤ１１の記録面などが損傷することなどを防止できる。
【００３５】
また、本実施形態の収納ケース１では、例えば、郵送先などで収納パネル３及びカバーパネル５を展開すれば、ＣＤ１１は収納部１３の切り込み１７により表示面の略半分が露出された状態となり、一目で容易に前記表示面を確認することができる。
【００３６】
また、本実施形態の収納ケース１では、郵送先などで収納パネル３及びカバーパネル５を展開すれば、ＣＤ１１の重ね合わせパネル７の幅方向一端部側、すなわち、前記折り目９側の規制が解除され、ＣＤ１１を取り出し可能状態とすることができる。そして、従来のようなＣＤ１１の全体を覆う袋状の場合と比較して、略半分が露出する収納部１３からＣＤ１１を容易に取り出すことができる。
【００３７】
また、本実施形態の収納ケース１では、ＣＤ１１を収納した状態で、封筒などに封入して、あるいは収納パネル３及びカバーパネル５間を係止手段により係止することによりそのまま葉書などとして容易に郵送などすることができる。この場合、収納パネル３は、一般的な葉書台の大きさに形成するのがよい。
【００３８】
次に、本発明の一実施形態に係る紙製収納ケース１の製造方法について説明する。
【００３９】
本実施形態の紙製収納ケース１の製造方法は、まず、図７に示すように、収納ケース１を打ち抜きにより一枚の可撓性パネル材としての紙板で展開状態に形成して、前記収納パネル３を挟んでその収納パネル３の幅方向両端に、前記重ね合わせパネル７の幅方向一端部、及び前記折り目９を介してカバーパネル５をそれぞれ一体に結合しておく。なお、打ち抜きはプレス機などにより行われる。
【００４０】
この打ち抜き時には、収納パネル３にその長手方向両端部に沿って一体に突設された前記固着片１５ａ，１５ｂ、及び前記重ね合わせパネル７に幅方向他端部から一端部側に向かう切り込み１７をも形成しておく。
【００４１】
次に、図１に示すように、収納パネル３と重ね合わせパネル７との間で折り曲げその重ね合わせパネル７の長手方向の両端部を後付けで収納パネル３に接合させる。
【００４２】
すなわち、手あるいは折り曲げ成形機などにより固着片１５ａ，１５ｂを収納パネル３との間で折り曲げてその収納パネル３上に折り返し、重ね合わせパネル７を収納パネル３との間で折り曲げてその収納パネル３上に折り返す。
【００４３】
そして、重ね合わせパネル７の固着片１５ａ，１５ｂに対応する長手方向の両端部をそれらの固着片１５ａ，１５ｂに固着することにより収納部１３を形成する。この固着は、前記固着片１５ａ，１５ｂに、例えば、粘着テープを張り付け、あるいは接着剤を予め塗布しておくことにより、重ね合わせパネル７の折り返しと同時に行うことができる。ただし、前記固着は、重ね合わせパネル７の折り返した後に、溶着機などにより固着片１５ａ，１５ｂと重ね合わせパネル７の端部との紙板表面間の合成樹脂を溶着することで行ってもよい。
【００４４】
次に、カバーパネル５を折り目９で折り曲げる。すなわち、収納パネル３及びカバーパネル５間を折り曲げて折り目９を形成すると共にそれらの収納パネル３及びカバーパネル５を前記重ね合わせパネル７を挟み込むように相互に重ね合わせる。これにより収納ケース１が完成する。
【００４５】
このように、本実施形態では、収納ケース１を打ち抜きにより一枚の紙板で展開状態に形成した後、折り曲げなどを行うだけで収納ケース１が完成するため、前記収納ケース１の製造を容易に行うことができる。
【００４６】
なお、前記打ち抜き時においては、前記収納パネル３及びカバーパネル５間の折り目９、及び前記収納パネル３と固着片１５ａ，１５ｂとの間及び前記収納パネル３と重ね合わせパネル７との間を、プレス機などで溝などを形成しておくことにより折り曲げやすくすることもできる。
【００４７】
以上、本発明に係る一実施形態について説明したが、本発明はこれに限定されるものではなく、構成の要素に付随する各種の変更が可能である。例えば、上記実施形態では、円板体の収納構造を紙板からなる紙製収納ケース１に適用した場合について説明したが、紙板に代えて、例えば、可撓性の合成樹脂製板などを用いた樹脂製収納ケースなどに適用することもできる。
【００４８】
また、収納部１３の切り込みは、先端が差し込み口１２と該差し込み口１２に対向する重ね合わせパネル７の連結辺７ａとの間の途中に位置すると共に、重ね合わせパネル７の連結辺７ｂに対しＣＤ１１の直径より小さな間隔で位置していればよく、その平面視形状が、例えば、矩形状や線状のものであってもよい。さらに、縁部１７ａを傾斜縁部１７ｂに平行に傾斜させることもできる。
【００４９】
また、収納部は、収納パネルを重ね合わせパネルに対して大きく形成し、１つの収納パネルに複数の重ね合わせパネルを取り付けて、複数設けられた構成としてもよい。
【００５０】
また、上記実施形態では、収納部１３を収納パネル３のみに設けた構成であるが、収納パネル３及びカバーパネル５の双方に収納部を設けた構成としてもよい。
【００５１】
また、収納ケース１では、単体の収納パネル３及びカバーパネル５を有した構成であるが、複数の収納パネル及びカバーパネルを一体に形成した構成であってもよい。
【００５２】
【図面の簡単な説明】
【図１】図１は本発明の一実施形態に係り、円板体の収納構造を適用した紙製収納ケースを示す正面図である。
【図２】図２は図１に示す紙製収納ケースの背面図である。
【図３】図３は図１に示す紙製収納ケースの平面図である。
【図４】図４は図１に示す紙製収納ケースの右側面図である。
【図５】図５は図１に示す紙製収納ケースの左側面図である。
【図６】図６は図１に示す紙製収納ケースのＡ−Ａ線矢視断面図である。
【図７】図７は図１に示す紙製収納ケースの展開図である。
【図８】図８は従来の紙製収納ケースを示す正面図である。
【図９】図９は、別の従来の紙製収納ケースを示す正面図である。
【符号の説明】
１  紙製収納ケース
３  収納パネル（相手方パネル）
７  重ね合わせパネル（可撓性のパネル）
７ａ，７ｂ  連結辺
７ｄ  他の一辺
９  折り目（ヒンジ部）
１２  差し込み口
１１  ＣＤ（円板体）
１３  収納部
１７  切り込み
１８  先端部（先端）
【図１】
2004277001.tif 000003
【図２】
2004277001.tif 000004
【図３】
2004277001.tif 000005
【図４】
2004277001.tif 000006
【図５】
2004277001.tif 000007
【図６】
2004277001.tif 000008
【図７】
2004277001.tif 000009
【図８】
2004277001.tif 000010
【図９】
2004277001.tif 000011